(57)【要約】      （修正有）【課題】単一のポートでバッテリパックの充放電状態をインテリジェントに識別できる着脱可能なバッテリを備えた照明装置の提供。【解決手段】照明ユニット１１と電気的に接続された第一ユニバーサルシリアルバスインタフェース（ＵＳＢ）１４を含むランプ１、及び電源２１と電気的に接続された第二ＵＳＢ２３を含むバッテリパック２から構成され、第一ＵＳＢには、第二ＵＳＢとの信号伝送を確立するための第一信号伝送端子、及び照明ユニットに電気エネルギを伝送するための第一給電端子が設けられ、第二ＵＳＢは、第一ＵＳＢとの信号伝送を確立するための第二信号伝送端子、及び第一給電端子に電気エネルギを伝えるための第二給電端子を含み、第一信号伝送端子は、接地するように配置され、第二信号伝送端子は、第二信号伝送端子が低レベルにある時に、電源をＯＮにして第二給電端子までの電気エネルギを伝送できるように、スイッチ回路に接続される照明装置。【選択図】図１
2019204761.tif 000002
【特許請求の範囲】
【請求項１】
バッテリーパックの充放電状態をインテリジェントに識別するための照明装置であって、ランプと、前記ランプに着脱可能に取り付けられて、ランプに給電するためのバッテリーパックとを含み、
ランプには、第一制御パネルと、前記第一制御パネルと連結した照明ユニットと、前記照明ユニットと電気的に接続される第一ユニバーサルシリアルバスインタフェースと、誘導ピンとが配置され、
バッテリーパックは、電源と、前記電源と電気的に接続される第二ユニバーサルシリアルバスインタフェースを含み、
ランプには、バッテリーパックを収納するための、底部に該第一ユニバーサルシリアルバスインタフェースが設置される溝が設けられ、誘導ピンは前記溝の底部から、第一制御パネルを離れる一端に沿って突き出し、
バッテリーパックには、第二制御パネルと、第二ユニバーサルシリアルバスインタフェースと、該第二制御パネルと連結した電源と、誘導シートが設けられ、
前記第二ユニバーサルシリアルバスインタフェースは、バッテリーパックの前記溝に挿入する一端に設けられ、かつ前記第一ユニバーサルシリアルバスインタフェースの位置に対応することで、前記第二ユニバーサルシリアルバスインタフェースがバッテリーパックに挿入される時に、前記第一ユニバーサルシリアルバスインタフェースと対応し、
前記バッテリーパックのランプの溝に挿入する一端には、前記誘導ピンの位置に対応する貫通穴が配置され、前記誘導シートは前記貫通穴の底部に設けられ、前記バッテリーパック全体がランプにおける溝の中に挿入される時、前記誘導ピンと誘導シートは確実に接触し、第二制御パネルがバッテリーパックを制御してランプに給電することを特徴とする照明装置。
【請求項２】
前記第一ユニバーサルシリアルバスインタフェースには、前記第二ユニバーサルシリアルバスインタフェースとの信号伝送を確立するための第一信号伝送端子、及び前記照明ユニットに電気エネルギーを伝送するための第一給電端子が設けられ、
前記第二ユニバーサルシリアルバスインタフェースは、前記第一ユニバーサルシリアルバスインタフェースとの信号伝送を確立するための第二信号伝送端子、及び前記第一給電端子に電気エネルギーを伝送するための第二給電端子を含み、
第一信号伝送端子は、接地するように配置され、第二信号伝送端子は、第二信号伝送端子が低レベルにある時に、電源から第二給電端子までの電気エネルギー伝送を開始するように、スイッチ回路に電気的に接続される、ことを特徴とする請求項２に記載の照明装置。
【請求項３】
前記第一信号伝送端子は、接地した第一信号正端子と第一信号負端子を含み、前記第二信号伝送端子は、前記スイッチ回路に電気的に接続された第二正端子と第二負端子を含み、前記電源は、前記スイッチ回路を介して前記第二給電端子に電気エネルギーを伝送する、ことを特徴とする請求項２に記載の照明装置。
【請求項４】
前記誘導シートは、順次連結した第一連結部、第二連結部と第三連結部を含み、前記第一連結部は第一方向で第二連結部と垂直になり、第三連結部は第二方向で第二連結部と垂直になり、且つ第二制御パネルと連結された、ことを特徴とする請求項１に記載の照明装置。
【発明の詳細な説明】
【技術分野】
【０００１】
本発明は、照明装置の分野に関し、具体的には、バッテリーパックの充放電状態をインテリジェントに識別するための照明装置を開示する。
【背景技術】
【０００２】
従来の照明装置には、自在に着脱できないバッテリーを内蔵するものが多い。それにより、照明装置の電気が無くなった時に、ランプとともに充電しなければならないことで、着脱可能な電池を使用する照明装置と比べて、内蔵バッテリーを使用する照明装置は、寿命が完全に内蔵バッテリーに依存するので、耐久力が低下してしまう。従来の照明装置は、バッテリーが着脱・交換可能であるが、取り外したバッテリーを充電するために、充電装置の追加が必要となり、バッテリーに、ユニバーサル充電インタフェースを備えていないことは、市場にある照明装置の問題となる。また、従来技術においては、ある照明装置に使用した着脱可能なバッテリーもユニバーサルインタフェースを採用しているが、充電と放電という二種の状態を満足するために、ランプに放電するポートと、電池に放電するポートという二種類を設置しなければならない。そのため、単一のポートのみで着脱可能なバッテリーに対する充放電機能を実現できる照明装置が必要となった。
【０００３】
同時に、従来の照明装置も、バッテリーを確実に取り付けたかどうか、正しいバッテリーモデルを選択したかどうか、ということを自主的に識別することができないため、正しく取り外していないバッテリーで、照明装置に給電する場合には、バッテリーに提供された電流が不安定になるという問題によって、照明装置を傷つけてしまう可能性があり、同様に、ミスマッチのバッテリーを取り付けた場合、電流と電圧が異なる仕様とすることも、照明装置に損傷を与えてしまうので、取り付けたバッテリーが規定に合うかどうかを識別可能な照明装置も必要となった。
【発明の概要】
【発明が解決しようとする課題】
【０００４】
上記技術的課題を解決するために、本発明は第一の様態において、単一のポートでバッテリーパックの充放電状態をインテリジェントに識別できる着脱可能なバッテリーを備えた照明装置を提供する。具体的には、該照明装置は、照明ユニットと、前記照明ユニットと電気的に接続された第一ユニバーサルシリアルバスインタフェースを含むランプ、及び電源と、前記電源と電気的に接続された第二ユニバーサルシリアルバスインタフェースを含むバッテリーパックから構成される。更に、前記第一ユニバーサルシリアルバスインタフェースには、前記第二ユニバーサルシリアルバスインタフェースとの信号伝送を確立するための第一信号伝送端子、及び前記照明ユニットに電気エネルギーを伝送するための第一給電端子が設けられ、前記第二ユニバーサルシリアルバスインタフェースは、前記第一ユニバーサルシリアルバスインタフェースとの信号伝送を確立するための第二信号伝送端子、及び前記第一給電端子に電気エネルギーを伝送するための第二給電端子を含む。更に、第一信号伝送端子は、接地するように配置され、第二信号伝送端子は、第二信号伝送端子が低レベルにある時に、電源から第二給電端子までの電気エネルギー伝送を開始させるように、スイッチ回路に電気的に接続される。
【０００５】
一部の実施様態において、第一信号伝送端子は接地した第一信号正端子と第一信号負端子を含む。前記第二信号伝送端子は、前記スイッチ回路に電気的に接続された第二正端子と第二負端子を含み、前記電源は、前記スイッチ回路を介して前記第二給電端子に電気エネルギーを伝送する。
【０００６】
一部の実施様態において、スイッチ回路は、そのゲートが前記第二信号正端子と連結され、ドレインが前記電源と連結され、ソースが前記第二給電端子と連結した第一ＭＯＳ管を含む。
【０００７】
その他の実施様態において、スイッチ回路は、そのゲートが前記第二信号負端子と連結され、ドレインが前記電源と連結され、ソースが前記第二給電端子と連結した第一ＭＯＳ管を含む。
【０００８】
別の部分の実施様態において、スイッチ回路は、そのゲートが前記第二信号負端子と連結され、ソースが前記電源と連結され、ドレインが前記第一ＭＯＳ管のドレインと連結した第二ＭＯＳ管と、そのゲートが前記第二信号正端子と連結され、ソースが前記第二給電端子と連結した第一ＭＯＳ管を含む。
【０００９】
更に、第二給電端子はまた、高調波回路と連結する。
更に、第二給電端子はまた、レギュレータと連結する。
【００１０】
本発明の第二の様態においては、もう一種の着脱可能なバッテリーを備えた照明装置が開示され、ランプと、前記ランプに着脱可能に取り付けられて、ランプに給電するためのバッテリーパックを含む。ランプの中には、第一制御パネルと、前記第一制御パネルと連結された照明ユニットと、前記照明ユニットと電気的に接続された第一ユニバーサルシリアルバスインタフェースと、誘導ピンとが配置される。バッテリーパックは、電源と、前記電源と電気的に接続された第二ユニバーサルシリアルバスインタフェースを含み、ランプには、バッテリーパックを収納するための、底部に該第一ユニバーサルシリアルバスインタフェースが設置された溝が設けられる。誘導ピンは前記溝の底部から、第一制御パネルを離れる一端に沿って突き出し、バッテリーパックの中には、第二制御パネルと、第二ユニバーサルシリアルバスインタフェースと、該第二制御パネルと連結した電源と、誘導シートが設けられる。前記第二ユニバーサルシリアルバスインタフェースは、バッテリーパックの前記溝に挿入する一端に設けられ、かつ前記第一ユニバーサルシリアルバスインタフェースの位置に対応し、これにより、前記第二ユニバーサルシリアルバスインタフェースがバッテリーパックに挿入された時に、前記第一ユニバーサルシリアルバスインタフェースと対応できる。同時に、前記バッテリーパックがランプの溝に挿入する一端には、前記誘導ピンの位置に対応する貫通穴が配置され、前記誘導シートは前記貫通穴の底部に設けられる。前記バッテリーパック全体がランプにおける溝の中に挿入した時、前記誘導ピンと誘導シートは確実に接触して、第二制御パネルがバッテリーパックを制御してランプに給電する。
【００１１】
好ましくは、第一の態様で述べたように、前記第一ユニバーサルシリアルバスインタフェースには、前記第二ユニバーサルシリアルバスインタフェースとの信号伝送を確立するための第一信号伝送端子、及び前記照明ユニットに電気エネルギーを伝送するための第一給電端子が設けられ、前記第二ユニバーサルシリアルバスインタフェースは、前記第一ユニバーサルシリアルバスインタフェースとの信号伝送を確立するための第二信号伝送端子、及び前記第一給電端子に電気エネルギーを伝送するための第二給電端子を含む。更に、第一信号伝送端子は、接地するように配置され、第二信号伝送端子は、第二信号伝送端子が低レベルにある時に、電源から第二給電端子までの電気エネルギー伝送を開始させるように、スイッチ回路に電気的に接続される。
好ましくは、前記バッテリーパックの外壁に設けられたシールリングは、バッテリーパックが溝に挿入された時、前記溝の内壁とともに密封構造を形成する。
【００１２】
好ましくは、前記誘導シートは、順次連結した第一連結部、第二連結部と第三連結部を含み、前記第一連結部は第一方向で第二連結部と垂直になり、第三連結部は第二方向で第二連結部と垂直になって、且つ第二制御パネルと連結される。
【００１３】
好ましくは、前記第一連結部、第二連結部と第三連結部とが連結される部位はアーク状である。
【００１４】
好ましくは、前記誘導ピンが誘導シートに当接する時、第一連結部の変位角度は３°−８°である。
【００１５】
好ましくは、前記誘導ピンが誘導シートに当接する時、第一連結部の変位角度は５°である。
【００１６】
好ましくは、前記誘導シートはばね鋼製である。
【００１７】
好ましくは、前記第一連結部、第二連結部と第三連結部とは、長さ比が１：１：２。
【００１８】
好ましくは、前記誘導ピンにおいて、前記誘導シートに近接する一端の面はアーク状である。
【００１９】
上記方案設計を通じて、本発明は、ユニバーサルシリアルバスインタフェースにおける信号伝送端子の改善によって、ランプとバッテリーパックが前記ユニバーサルシリアルバスインタフェースでマッチする時、バッテリーパックの信号伝送端子を低レベルにさせ、それにより、信号伝送端子と連結したスイッチ回路をオンにして、電源がユニバーサルシリアルバスインタフェースにおける給電端子を経由して、ランプに放電を開始するようにする照明装置を提供する。別の状況では、前記バッテリーパックはそのユニバーサルシリアルバスインタフェースで直接充電することもできる。このような改善は、一方で、照明装置に着脱可能なバッテリーパックを備えることを可能にし、もう一方で、取り外したバッテリーパックに簡便な充電を実現することもできる、という技術的効果を有する。同時に、本発明においては、前記ランプに設置した誘導ピンと、前記バッテリーパックに対応して設けた誘導シートとが接触した場合にのみ、バッテリーパックはランプに給電することで、仕様を満たさない他のバッテリーパックがランプに給電する時に、モデルと機能のミスマッチがランプに損傷を与えることを回避する。
【図面の簡単な説明】
【００２０】
【図１】本実施様態によるバッテリーパックの充放電状態をインテリジェントに識別するための照明装置の全体構造を示す図である。
【図２】本実施様態による照明装置の、ランプとバッテリーパックのユニバーサルシリアルバスインタフェースを示す回路図である。
【図３】本実施様態によるバッテリーパックの充放電状態をインテリジェントに識別するための照明装置を示す図である。
【図４】図３に示す照明装置に採用するランプの内部構造を示す図である。
【図５】図３に示す照明装置の内部構造を示す図である。
【図６】図３に示す照明装置に採用するランプの一部を示す図である。
【図７】図３に示す照明装置に採用するバッテリーパックの構造を示す図である。
【図８】図３に示す照明装置に採用するバッテリーパックの内部構造を示す図である。
【図９】図３に示す照明装置に採用するバッテリーパックの誘導シート構造を示す図である。
【発明を実施するための形態】
【００２１】
以下、本発明の実施様態の目的、技術形態と利点をより明確にするために、本発明の実施様態に関する図面を参照しながら、本発明の実施様態について、明確で、完全な説明を行うが、これらは本発明に関する実施様態の一部分のみであり、全部ではないことである。本発明の実施様態によれば、当業者が創造性の労働をしない前提で取得した他の実施様態は全部、本発明の範囲として保護すべきである。それにより、図面によって提供される本発明の実施様態に関する詳細な説明は、本発明で選択した実施様態のみを提示したものであり、本発明の保護範囲を限定することを意図していない。本発明の実施様態によれば、当業者が創造性の労働をしない前提で取得した他の実施様態は全部、本発明の範囲として保護すべきである。
【００２２】
また、専門用語「第一」、「第二」は説明するためのものだけであるが、相対的重要性を提示又は暗示する、又は指示する技術的特徴の数量を暗示的に指定するように理解すべきではない。そうすると、「第一」、「第二」で限定される特徴は、一つ以上の該特徴を明示的又は暗示的に含むことができる。本発明に関する説明では、「複数」は、別に明確で具体的に限定されたものを除き、二つ又は二つ以上を表す。
【００２３】
図１に示すように、本発明はバッテリーが着脱可能な照明装置を提供するものである。具体的には、該照明装置は、照明ユニット１１と、前記照明ユニット１１と電気的に接続された第一ユニバーサルシリアルバスインタフェース１４を含むランプ１、及び電源ＶＢＡＴと、前記電源ＶＢＡＴと電気的に接続された第二ユニバーサルシリアルバスインタフェース２３を含むバッテリーパック２から構成される。ランプ１における前記第一ユニバーサルシリアルバスインタフェース１４と、バッテリーパック２における前記第二ユニバーサルシリアルバスインタフェース２３とはマッチする。前記第一ユニバーサルシリアルバスインタフェース１４と第二ユニバーサルシリアルバスインタフェース２３とは、連係して信号伝送を確立し、それにより、バッテリーパック２にある電源ＶＢＡＴを制御して、ランプ１に放電するようにする。ランプ１においては、照明ユニット１１がバッテリーパック２による電力を得ると、光ることができるようになる。理解すべきであるのは、照明ユニット１１は電気エネルギーで光ることができる照明部品、例えば、ＬＥＤランプ、電球などであることである。
【００２４】
更に具体的には、図２に示すように、ランプ１の第一ユニバーサルシリアルバスインタフェース１４は、第二ユニバーサルシリアルバスインタフェース２３と信号伝送を確立するための第一信号伝送端子Ｄ−、Ｄ＋、及び照明ユニット１１に電気エネルギーを伝送するための第一給電端子ＤＣ＿ＩＮを含む。第二ユニバーサルシリアルバスインタフェース２３は、第一ユニバーサルシリアルバスインタフェース１４と信号伝送を確立するための第二信号伝送端子Ｄ−、Ｄ＋、及び第一給電端子ＤＣ＿ＩＮに電気エネルギーを伝送するための第二給電端子ＤＣ＿ＩＮを含む。更に、第一信号伝送端子Ｄ−、Ｄ＋は接地する。第二信号伝送端子Ｄ−、Ｄ＋は、第二信号伝送端子Ｄ−、Ｄ＋が低レベルにある時に、電源ＶＢＡＴをＯＮにして第二給電端子ＤＣ＿ＩＮまでの電気エネルギーを伝送できるように、スイッチ回路に電気的に接続される。更なる実施様態において、第一信号伝送端子Ｄ−、Ｄ＋は接地した第一信号正端子Ｄ＋と第一信号負端子Ｄ−を含む。前記第二信号伝送端子Ｄ−、Ｄ＋は、前記スイッチ回路に電気的に接続された第二正端子Ｄ＋と第二負端子Ｄ−を含み、前記電源ＶＢＡＴは、前記スイッチ回路を介して前記第二給電端子ＤＣ＿ＩＮに電気エネルギーを伝送する。
【００２５】
図２に示すように、スイッチ回路は第一ＭＯＳ管Ｑ１と第ニＭＯＳ管Ｑ２を含む。そのうち、第二信号負端子Ｄ−は第ニＭＯＳ管Ｑ２のゲートと連結され、電源ＶＢＡＴは第ニＭＯＳ管Ｑ２のソースと連結され、第ニＭＯＳ管Ｑ２のドレインは前記第一ＭＯＳ管Ｑ１のドレインと連結される。第二信号正端子Ｄ＋は第一ＭＯＳ管Ｑ１のゲートと連結され、第一ＭＯＳ管Ｑ１のソースは前記第二給電端子ＤＣ＿ＩＮと連結される。これによると、第一ＭＯＳ管Ｑ１と第二ＭＯＳ管Ｑ２とは、電源ＶＢＡＴから第二給電端子ＤＣ＿ＩＮに至るラインにて、相対的に逆設定されることが分かる。即ち、電源ＶＢＡＴから第二給電端子ＤＣ＿ＩＮに至るラインでは、第一ＭＯＳ管の入力端はドレインで、第二ＭＯＳ管の入力端はソースとする。このような逆設定によると、電源ＶＢＡＴは、第一ＭＯＳ管と第二ＭＯＳ管がカットオフした時、電流が第二給電端子ＤＣ＿ＩＮまで漏れることがないようになる。
【００２６】
更に、第二給電端子ＤＣ＿ＩＮはまた、高調波回路と連結されてもよい。図２に示すように、コンデンサＣ３が抵抗器Ｒ４と直列に接続された後、その一端は第二給電端子ＤＣ＿ＩＮに接続され、他端は接地にする。同時に、第二給電端子ＤＣ＿ＩＮはまた、レギュレータＤＺ１と連結されてもよい。高調波回路とレギュレータを採用することにより、バッテリーパック２の給電回路をより安定にすることができる。
【００２７】
上記設計を通じて、バッテリーパック２がランプ１に接続された時、バッテリーパック２の第二ユニバーサルシリアルバスインタフェース１２２はランプの第一ユニバーサルシリアルバスインタフェース１１２と接続する。第一ユニバーサルシリアルバスインタフェース１１２は、第一信号正端子Ｄ＋と第一信号負端子Ｄ−を接地にすることにより、それとマッチする第二ユニバーサルシリアルバスインタフェース１２２の第二信号正端子Ｄ＋と第二信号負端子Ｄ−も接地にすることにより、低レベルになり、それによりスイッチ回路における第一ＭＯＳ管Ｑ１と第二ＭＯＳ管Ｑ２をオンにする。第一ＭＯＳ管Ｑ１と第二ＭＯＳ管Ｑ２のオンによって、電源ＶＢＡＴが電気エネルギーを第二給電端子ＤＣ＿ＩＮまで伝送するようにさせ、更に第二給電端子ＤＣ＿ＩＮによって第二給電端子とマッチするランプの第一給電端子ＤＣ＿ＩＮまで伝送し、最後に、照明ユニット１１を光るようにさせるために、電気エネルギーを提供する。
【００２８】
他の実施例においては、本発明のスイッチ回路はまた、第一ＭＯＳ管Ｑ１のみを含んでもよい。このような状況では、例えば、第二信号正端子Ｄ＋が第一ＭＯＳ管Ｑ１のゲートと連結され、電源ＶＢＡＴが第一ＭＯＳ管Ｑ１のドレインと連結され、第一ＭＯＳ管Ｑ１のソースが前記第二給電端子ＤＣ＿ＩＮと連結される。
【００２９】
他の実施例においては、本発明のスイッチ回路はまた、第二ＭＯＳ管Ｑ２のみを含んでもよい。このような状況では、例えば、前記第二信号負端子Ｄ−が第二ＭＯＳ管Ｑ２のソースと連結され、前記電源ＶＢＡＴが第二ＭＯＳ管Ｑ２のソースと連結され、第二ＭＯＳ管Ｑ２のドレインが前記第二給電端子ＤＣ＿ＩＮと連結される。
【００３０】
本発明により提供される照明装置は、ユニバーサルシリアルバスインタフェースにおける信号伝送端子の改善によって、ランプとバッテリーパックが前記ユニバーサルシリアルバスインタフェースでマッチする時、バッテリーパックの信号伝送端子を低レベルに変え、それにより、信号伝送端子と連結されたスイッチ回路をオンにして、電源がユニバーサルシリアルバスインタフェースにおける給電端子を経由して、ランプに放電を開始するようにする。別の状況では、前記バッテリーパックはそのユニバーサルシリアルバスインタフェースで直接充電することもできる。
【００３１】
注意すべきことは、上記スイッチ回路におけるＭＯＳ管のソースとドレインに関する方向配置は例のみであることである。当業者であれば、本発明の教示するところにより、ＭＯＳ管の電源入力端と出力端に対して、適宜方向変換をしてもよい。
【００３２】
本発明の第二実施様態については、図３−図９を参照されたい。本実施様態はランプ１とバッテリーパック２を含む照明装置を提供し、前記バッテリーパック２はランプ１に着脱可能に取り付けられ、ランプ１に給電することに用いられるバッテリーパック。ランプ１には、第一制御パネル１２と、前記第一制御パネル１２と連結した照明ユニット１１と、第一ユニバーサルシリアルバスインタフェース１４と、誘導ピン１３とが配置される。本実施様態においては、照明ユニットは第一制御パネル１２と第一ユニバーサルシリアルバスインタフェース１４によって連結されてもよい。しかし、他の任意の実施様態においては、照明ユニットはユニバーサルシリアルバスインタフェースと直接連結されてもよい。同時に、ランプ１にはまた、バッテリーパック２を収納するための溝１５が設けられ、第一ユニバーサルシリアルバスインタフェース１４は前記溝１５の底部に設置され、誘導ピン１３は、前記第一ユニバーサルシリアルバスインタフェース１４の隣に配置され、該第一ユニバーサルシリアルバスインタフェース１４と類似し、前記溝１５の底部から、第一制御パネル１２を離れる一端に沿って突き出す。バッテリーパック２には、第二制御パネル２２と、前記第二制御パネル２２と連結された電源２１と、第二ユニバーサルシリアルバスインタフェース２３と、誘導シート２４とが配置される。ここで、該第二ユニバーサルシリアルバスインタフェース２３は、バッテリーパック２が溝１５に挿入される一端に、且つ第一ユニバーサルシリアルバスインタフェース１４と対応する位置に配置され、それにより、バッテリーパック２が溝１５の中に挿入された時、第一ユニバーサルシリアルバスインタフェース１４と第二ユニバーサルシリアルバスインタフェース２３がマッチすることを可能にする。バッテリーパック２が溝１５に挿入された一端には、誘導ピン１３の位置と対応する貫通穴２６が備え、誘導シート２４は前記貫通穴２６の底部に設けられることで、バッテリーパック２が完全に溝１５の中に挿入された時に、誘導ピン１３が誘導シート２４と接触するようにさせ、更に第二制御パネル２２を、バッテリーパック２を制御してランプ１に給電するようにする。
【００３３】
一部の実施様態では、図２に示すように、ランプ１の第一ユニバーサルシリアルバスインタフェース１４は、第二ユニバーサルシリアルバスインタフェース２３との信号伝送を確立するための第一信号伝送端子Ｄ−、Ｄ＋、及び照明ユニット１１に電気エネルギーを伝送するための第一給電端子ＤＣ＿ＩＮを含む。第二ユニバーサルシリアルバスインタフェース２３は、第一ユニバーサルシリアルバスインタフェース１４との信号伝送を確立するための第二信号伝送端子Ｄ−、Ｄ＋、及び第一給電端子ＤＣ＿ＩＮに電気エネルギーを伝送するための第二給電端子ＤＣ＿ＩＮを含む。好ましくは、第一信号伝送端子Ｄ−、Ｄ＋は接地する。第二信号伝送端子Ｄ−、Ｄ＋は、第二信号伝送端子Ｄ−、Ｄ＋が低レベルにある時に、電源ＶＢＡＴをＯＮにして第二給電端子ＤＣ＿ＩＮまで電気エネルギーを供給させるように、スイッチ回路に電気的に接続される。更なる実施様態において、第一信号伝送端子Ｄ−、Ｄ＋は接地した第一信号正端子Ｄ＋と第一信号負端子Ｄ−を含む。前記第二信号伝送端子Ｄ−、Ｄ＋は、前記スイッチ回路に電気的に接続された第二正端子Ｄ＋と第二負端子Ｄ−を含み、前記電源ＶＢＡＴは、前記スイッチ回路を介して前記第二給電端子ＤＣ＿ＩＮに電気エネルギーを伝送する。この実施様態においては、スイッチ回路はまた第二制御パネル２２と電気的に接続され、それにより、誘導シート２４が誘導ピン１３と接触する時、第二制御パネル２２はスイッチ回路をＯＮに制御して、ランプ１に対する給電を実現する。
【００３４】
更なる実施様態においては、第一ユニバーサルシリアルバスインタフェース１４と第二ユニバーサルシリアルバスインタフェース２３とは、本発明の第一の実施様態に示す回路形態、例えば、図２に示す回路方案、を直接使用すればよいので、ここでは述べない。
【００３５】
一部の実施様態においては、バッテリーパック２はユニバーサルシリアルバスインタフェースによってランプ１と連結されて前記ランプ１に給電する。バッテリーパック２とランプ１とは、着脱可能に連結され、バッテリーパック２に電気量が不足になった時、バッテリーの切れたバッテリーパック２を取り外し、新しいバッテリーパック２を交換するだけで、ランプ１を作業中止なしで継続使用を可能にすることができる。
【００３６】
同時に、本発明では、ランプ１に誘導ピン１３が設けられ、バッテリーパック２に対応する誘導シート２４が設けられ、前記誘導ピン１３が誘導シート２４と接触した時のみ、バッテリーパック２は前記ランプ１に給電する。
【００３７】
バッテリーパック２がランプ１に挿入される時、前記バッテリーパック２が完全に挿入できなかった場合、第二ユニバーサルシリアルバスインタフェース２３は、一部だけ第一ユニバーサルシリアルバスインタフェース１４に挿入され、両者間に一定程度の仮連結が存在することで、バッテリーパック２からランプ１に対する給電は不安定になって、ランプ１に損傷を与えてしまう。誘導ピン１３と誘導シート２４の配置により、重複保険を形成して、第二ユニバーサルシリアルバスインタフェース２３全体が第一ユニバーサルシリアルバスインタフェース１４の中に挿入され、且つ誘導ピン１３と誘導シート２４とが接触する場合のみ、バッテリーパック２はランプ１に給電するため、前記ランプ１に傷つけることを回避する。同時に、仕様に合っていない他のバッテリーパック２でランプ１に給電する時、モデルと機能が合わないことで前記ランプ１に対する損傷を回避することができる。
【００３８】
本実施様態においては、ランプ１とバッテリーパック２とも一体的成型したケースを有するので、独立したランプ１でもバッテリーパック２でも、防水効果に優れ、前記ランプ１に、溝１５の底部に突き出した誘導ピンと第一ユニバーサルシリアルバスインタフェース１４が設けられ、前記バッテリーパック２にも貫通穴２６と第二ユニバーサルシリアルバスインタフェース２３が設けられたため、間違いなく前記ランプ１とバッテリーパック２とが接続される位置の防水効果を弱める。本実施様態では、バッテリーパック２の外壁にシールリング２７が設けられ、前記バッテリーパック２が溝１５の中に挿入した時、前記シールリング２７は溝１５の内壁と併せて密封構造を形成し、それにより前記ランプ１とバッテリーパック２と接続される位置の防水効果を強化する。
【００３９】
誘導ピン１３と誘導シート２４との接触効果を向上させるために、前記誘導ピン１３は誘導シート２４に当接する時、特定の角度に曲げさせるように、前記誘導シート２４を押し上げる。しかし、何回も曲げた金属は疲労状態になり、誘導ピン１３が離れた後の誘導シート２４が復帰できなくなり、更に、ランプ１とバッテリーパック２が接続された時に、前記誘導ピン１３が誘導シート２４に接触不能という状況も発生してしまう。本実施様態では、前記誘導シート２４は、順次連結される第一連結部２４１、第二連結部２４２と第三連結部２４３を含み、前記第一連結部２４１は第一方向で第二連結部２４２に垂直となり、第三連結部２４２は第二方向で第二連結部２４２に垂直となり、且つ第二制御パネル２２と連結される。誘導シート２４は、漢字の「工」に類似した形状とすることによって、弾性がより良好になる。誘導シート２４は、何回もの曲げによる疲労が発生しなくて、耐用年数を延長することができる。
【００４０】
一部の実施様態では、図９に示すように、第一連結部２４１、第二連結部２４２、及び第三連結部２４３の接続位置はアーク状となる。前記誘導シート２４の弾性を更に強化し、耐用年数を長くする。好ましくは、前記第一連結部２４１、第二連結部２４２、及び第三連結部２４３の長さの比は１：１：２である。第一連結部２４１は、誘導ピン１３と接触するのに用い、第三連結部２４３は、第二制御パネル２２と連結され、前記誘導ピン１３が第一連結部２４１を押し上げた時、前記第三連結部２４３が第一連結部２４１より長くなり、両者が平行に設置されたため、より大きく偏倚するのは第三連結部２４３となり、第一連結部２４１は変形しにくくになって、それにより誘導ピンとの接触に影響を及ぼす。同時に、前記第一連結部２４１の長さに第三連結部２４３の長さを加えると、第二連結部の長さとの比は３：１で、且つ両方とも前記第二連結部２４２に垂直となり、三角形の二つの直角の辺を形成し、力が掛かる場合には、一部が過大な力を受けることなく、より安定になる。
【００４１】
一部の実施様態では、誘導ピン１３が誘導シート２４を押し上げる時、前記誘導シート２４に対する損傷を最小にするために、誘導ピン１３と誘導シート２４に当接する時の第一連結部２４１の変位角度は３°−８°である。この角度範囲において、誘導シート２４を数回曲げても、簡単に金属疲労が出ることはなく、誘導シート２４の耐用年数を大幅に延長する。更に、本実施様態では最適の値を採用すると、誘導ピン１３が誘導シート２４に当接する時、第一連結部２４１の変位角度は５°であり、誘導ピン１３から誘導シート２４に対する損傷を最小にする。
【００４２】
他の一部の実施様態では、前記誘導シート２４はばね鋼製である。ばね鋼は弾性に優れるほか、金属疲労が発生しにくく、誘導シート２４を頻繁に曲げる場合でも、金属疲労は容易に発生しない。
【００４３】
更なる改善として、本実施様態では、前記誘導ピンにおいて前記誘導シート２４に近接する一端の面はアーク状とする。誘導ピン１３が誘導シート２４を押し上げて曲げることで、両者は垂直にならず、誘導ピン１３の端面がアーク状の端面になるため、誘導ピン１３と誘導シート２４が垂直にならなくても、接触面が十分な接触面積を有し、良好な接触効果を保証することができる。同時に、誘導シート２４に金属疲労が発生したため、誘導ピン１３が誘導シート２４と接触する時の角度を変えても、接触面が十分な接触面積を有し、良好な接触効果を保証することができる。
【００４４】
一部の実施様態では、更に前記ランプ１と連結された、前記バッテリーパック２を固定することで、バッテリーパック２がランプ１からの分離を防止するための後カバー３を含む。
【００４５】
上記は、本発明に関する比較的好ましい実施様態のみであり、本発明を限定することを意図せず、本発明の精神と原則から乖離しない前提で、種々な変更、同等な交換、改良などは全部本発明の保護範囲に含まれるものである。
【図１】
2019204761.tif 000003
【図２】
2019204761.tif 000004
【図３】
2019204761.tif 000005
【図４】
2019204761.tif 000006
【図５】
2019204761.tif 000007
【図６】
2019204761.tif 000008
【図７】
2019204761.tif 000009
【図８】
2019204761.tif 000010
【図９】
2019204761.tif 000011